(57)【要約】【課題】水位を検出する手段を設け、検出した水位に応じて機器を制御することにより、使い勝手が良い除湿装置を提供する。【解決手段】空気中の水分を除湿する除湿装置本体１と、この除湿装置の下部に出し入れ自在に設けられる貯水タンク２と、貯水タンク２内部に貯水された貯水量に合わせて動作する水位を検出するための水位検出用フロート６と、水位検出用フロート６に設けられた磁石９ａ、９ｂを検出するための磁気センサ１０ａ、１０ｂ、１０ｃと、除湿装置本体外郭に水位を表示するための水位表示部１７と、除湿装置本体１を制御する制御部１１を備え、前記制御部１１は前記磁気センサの検出信号を受け、水位表示部１７および除湿装置本体１の運転を制御することを特徴とする除湿装置。【選択図】図２
2007237068.tif 000002
【特許請求の範囲】
【請求項１】
空気中の水分を除湿する除湿装置本体と、この除湿装置の下部に出し入れ自在に設けられる貯水槽と、貯水槽内部に貯水された貯水量に合わせて動作する水位を検出するための水位検出用フロートと、水位検出用フロートに設けられた磁石を検出するための磁気センサと、除湿装置本体外郭に水位を表示するための水位表示部と、除湿装置本体を制御する制御部を備え、前記制御部は前記磁気センサからの検出信号を受け、水位表示部および除湿装置の運転を制御することを特徴とする除湿装置。
【請求項２】
水位表示部は、貯水タンクを除湿装置本体に設置した状態で、水位を確認するための貯水槽に設けられた水位窓から、水位検出用フロートが見えるように配置して構成されたことを特徴とする請求項１記載の除湿装置。
【請求項３】
除湿装置本体に照明部を設け、前記照明部により水位表示部である水位検出用フロートを照らすように配置したことを特徴とする請求項２記載の除湿装置。
【請求項４】
水位表示部は表示素子であるＬＥＤで構成され、本体外郭に配置することにより、使用者に注意を促すことを特徴とする請求項１記載の除湿装置。
【請求項５】
水位表示部は一定時間点滅を繰り返すことを特徴とする請求項３または４記載の除湿装置。
【請求項６】
使用者が水位表示部の点灯または消灯を設定することができることを特徴とした請求項３〜５のいずれかに記載の除湿装置。
【請求項７】
制御部は、定められた水量に達しているときに、使用者が衣類乾燥運転を設定した場合に、水位表示部を用いて使用者に注意を促すことを特徴とする請求項１〜６のいずれかに記載の除湿装置。
【請求項８】
制御部は、定められた水量に達しているときに、使用者がタイマー運転を設定した場合に、水位表示部を用いて使用者に注意を促すことを特徴とする請求項１〜７のいずれかに記載の除湿装置。
【請求項９】
制御部は、定められた水量に達しているときに、水位表示部を用いて使用者に注意を促すことに加えて、音で使用者に注意を促すことを特徴とする請求項１〜８のいずれかに記載の除湿装置。
【請求項１０】
制御部は、運転モードと温度および湿度に応じた除湿能力から算出される除湿量を算出し、現在の貯水量を水位を検出する磁気センサからの信号で判断して、残り貯水可能な水分量を算出し、使用者が選択した運転モードまたは運転モードおよびタイマー時間で運転可能な時間を導き出し、時間内に貯水槽が満水になると判断した場合に、使用者に注意を促すことを特徴とする請求項１〜９のいずれかに記載の除湿装置。
【請求項１１】
貯水槽内部に貯水された貯水量に合わせて動作する水位検出用フロートと、満水および除湿装置の転倒を検出するためのフロートを別の構成で備えたことを特徴とする請求項１〜１０のいずれかに記載の除湿装置。
【請求項１２】
水位が一定量以上の場合において、水位が下位の水位検出用フロートを検出するための磁気センサが磁石の検出を継続した状態で、上位の満水および転倒検出用フロートが水位に併せて動作できるように、下位のフロートに対してストッパーを貯水槽に設けたことを特徴とする請求項１１記載の除湿装置。
【請求項１３】
貯水槽を除湿装置本体から引き出した際に、水位検出用磁気センサの検出よりも先に満水および転倒検出用磁気センサが磁石の有無を検出するように配したことを特徴とする請求項１〜１２のいずれかに記載の除湿装置。
【請求項１４】
上位のフロートが磁石を検出しなくなるまで、下位の水位検出用フロートの検出結果を更新しないことを特徴とする請求項１３記載の除湿装置。
【発明の詳細な説明】
【技術分野】
【０００１】
本発明は、水位検出機能を備えることにより使い勝手の向上した除湿装置に関する。
【背景技術】
【０００２】
従来、図１２に示すように、除湿装置本体１０１の下部には除湿機本体１０１において結露した水分を貯めるための貯水タンク１０２が設けられている。
【０００３】
上記構成において、貯水タンク１０２へと導かれ貯水する。貯水量が大きくなる連れ、傾くことによりフロート１０３に取り付けられた磁石１０４が、磁気センサ１０５から遠ざかり、磁気センサ１０５が磁石１０４を検出できなくなった時点で、本体１０１に搭載されたマイクロコンピュータ１０６が、貯水タンクが満水になったことを判断し、表示手段１０７を用いて使用者にタンクの排水を促す表示を行うというものである。
【特許文献１】特開２００４−２６４１９３号公報
【発明の開示】
【発明が解決しようとする課題】
【０００４】
このような従来の除湿装置においては、貯水タンクが満水である、または満水ではないという状態しか検出できないため、使用者が貯水タンクの貯水量の確認を怠り、使用者が満水に近い状態に気が付かず、例えば長時間のタイマー運転を設定してしまった場合に、使用者の意図に反してすぐに満水で除湿装置の運転が停止しまうというという課題があった。
【０００５】
本発明は上記課題を解決するものであり、貯水タンクの貯水量を検出し、その結果を使用者に伝える事により、例えば満水が近い場合には、使用者がタイマーを設定しようとした際には、貯水タンクの排水を促すなどの処置を取ることにより使い勝手の良い除湿装置を提供することができる。
【課題を解決するための手段】
【０００６】
上記課題を解決するために、空気中の水分を除湿する除湿装置本体と、この除湿装置の下部に出し入れ自在に設けられる貯水タンクと、貯水タンク内部に貯水された貯水量に合わせて動作する水位を検出するための水位検出用フロートと、水位検出用フロートに設けられた磁石を検出するための磁気センサと、除湿装置本体外郭に水位を表示するための水位表示部と、除湿装置本体を制御する制御部を備え、前記制御部は前記磁気センサからの検出信号を受け、水位表示部および除湿装置の運転を制御することを特徴としたものである。
【０００７】
この手段により、使用者が貯水タンクの貯水量に気付かずに、除湿装置の運転を開始し、意図に反して、すぐに貯水タンクが満水になることにより、運転が停止してしまうことを防ぐことができ使い勝手の良い除湿装置を得ることができる。
【０００８】
また他の手段は、水位表示部は、貯水タンクを除湿装置本体に設置した状態で、水位を確認するための貯水タンクに設けられた水位窓から、水位検出用フロートが見えるように配置して構成されたものである。
【０００９】
この手段により、使用者にとって視認性が良い状態で除湿装置の貯水タンクの貯水量を確認することのできる除湿装置を得ることができる。
【００１０】
また他の手段は、除除湿装置本体に照明部を設け、前記照明部により前記水位表示部である水位検出用フロートを照らすように配置したものである。
【００１１】
この手段により、除湿装置本体の設置条件に影響されず、使用者が水位を確認することのできる除湿装置を得ることができる。
【００１２】
また他の手段は、水位表示部は表示素子であるＬＥＤで構成され、本体外郭に配置することにより、使用者に注意を促すことを特徴としたものである。
【００１３】
この手段により、使用者が水位を確認せずに除湿装置の運転を開始した場合に、注意を喚起することにより、確実に使用者に貯水量を確認することを促すことのできる除湿装置を得ることができる。
【００１４】
また他の手段は、水位表示部は一定時間点滅を繰り返すことを特徴としたものである。
【００１５】
この手段により、水位表示部の点滅が使用者の除湿装置の操作に関する注意を行っているものであると認識がしやすく、より使い勝手の良い除湿装置を得ることができる。
【００１６】
また他の手段は、使用者が水位表示部の点灯または消灯を設定することができることを特徴としたものである。
【００１７】
この手段により、使用者が水位表示部の照明または水位表示部を好みに合わせて、点灯または消灯することができ、省エネ性が向上した除湿装置を得ることができる。
【００１８】
また他の手段は、制御部は、定められた水量に達したときに、使用者が衣類乾燥運転を設定した場合に、水位表示部を用いて使用者に注意を促すことを特徴としたものである。
【００１９】
この手段により、使用者が衣類を乾燥させる目的で除湿装置を使用する場合に、前回の運転で貯まった貯水タンクの水を排水することを忘れ、衣類乾燥運転の途中で満水となり除湿装置が停止することを防ぐことができる除湿装置を得ることができる。
【００２０】
また他の手段は、定められた水量に達したときに、使用者がタイマー運転を設定した場合に、水位表示部を用いて使用者に注意を促すことを特徴としたものである。
【００２１】
この手段により、使用者がタイマーを設定して設定したタイマーの時間除湿装置を使用する場合に、前回の運転で貯まった貯水タンクの水を排水することを忘れ、除湿運転の途中で満水となり除湿装置が停止することを防ぐことができる除湿装置を得ることができる。
【００２２】
また他の手段は、定められた水量に達したときに、水位表示部を用いて使用者に注意を促すことに加えて、音で使用者に注意を促すことを特徴としたものである。
【００２３】
この手段により、水位表示部の目視を逃した場合においても、聴覚で水位の情報を確認する事により、使用者の意図に反して除湿運転の途中で満水となり除湿装置が停止することを防ぐことができる除湿装置を得ることができる。
【００２４】
また他の手段は、制御部は、運転モードと温度および湿度に応じた除湿能力から算出される除湿量を算出し、現在の貯水量を水位を検出する磁気センサからの信号で判断して、残り貯水可能な水分量を算出し、使用者が選択した運転モードまたは運転モードおよびタイマー時間で運転可能な時間を導き出し、時間内に貯水タンクが満水になると判断した場合に、使用者に注意を促すことを特徴としたものである。
【００２５】
この手段により、精度良く使用者の意図に反して運転の途中で、貯水タンクが満水となることを防ぐことのできる除湿装置を得ることができる。
【００２６】
また他の手段は、貯水タンク内部に貯水された貯水量に合わせて動作する水位検出用フロートと、満水および除湿装置の転倒を検出するためのフロートを別の構成で備えたものである。
【００２７】
この手段により、除湿装置が転倒した際に、確実に運転を停止することのできる除湿装置を提供することができる。
【００２８】
また他の手段は、水位が一定量以上の場合において、水位が下位の水位検出用フロートを検出するための磁気センサが磁石の検出を継続した状態で、上位の満水および転倒検出用フロートが水位に併せて動作できるように、下位のフロートに対してストッパーを貯水タンクに設けたものである。
【００２９】
この手段により、設計段階で磁気センサや磁石、上位および下位のフロートの取り付けの遊びなどのバラツキの検証の工数を削減できることにより設計負担を減らし、且つ信頼性の高い除湿装置を得ることができる。
【００３０】
また他の手段は、貯水タンクを除湿装置本体から引き出した際に、水位検出用磁気センサの検出よりも先に満水および転倒検出用磁気センサが磁石の有無を検出するように配したものである。
【００３１】
この手段により、使用者が貯水タンクを少しだけ引き出した際に、水位検出用磁気センサの磁石の検出結果が変ることにより、水位の表示を誤って表示してしまうことを防ぐことのできる除湿装置を得ることができる。
【００３２】
また他の手段は、上位のフロートが磁石を検出しなくなるまで、下位の水位検出用フロートの検出結果を更新しないようにしたものである。
【００３３】
この手段により、水位検出用磁気センサの磁気感度に対するヒステリシス幅を超えた水面の揺れが発生した場合に、水位表示部を更新しないことによって、使用者へ正確な水位情報を伝えることのできる除湿装置を得ることができる。
【発明の効果】
【００３４】
本発明によれば、使用者が貯水タンクの貯水量に気付かずに、除湿装置の運転を開始し、意図に反して、すぐに貯水タンクが満水になることにより、運転が停止してしまうことを防ぐことができ使い勝手の良い除湿装置を提供することができる。
【００３５】
また、使用者にとって視認性が良い状態で除湿装置の貯水タンクの貯水量を確認することのできる除湿装置を提供することができる。
【００３６】
また、除湿装置本体の設置条件に影響されず、使用者が水位を確認することのできる除湿装置を提供することができる。
【００３７】
また、使用者が水位を確認せずに除湿装置の運転を開始した場合に、注意を喚起することにより、確実に使用者に貯水量を確認することを促すことのできる除湿装置を提供することができる。
【００３８】
また、使用者が水位表示部の点灯または消灯を設定することができることにより、省エネ性が向上した除湿装置を提供することができる。
【００３９】
また、使用者が衣類を乾燥させる目的で除湿装置を使用する場合に、前回の運転で貯まった貯水タンクの水を排水することを忘れ、衣類乾燥運転の途中で満水となり除湿装置が停止することを防ぐことができる除湿装置を提供することができる。
【００４０】
また、使用者がタイマーを設定して設定したタイマーの時間だけ除湿装置を使用する場合に、前回の運転で貯まった貯水タンクの水を排水することを忘れ、除湿運転の途中で満水となり除湿装置が停止することを防ぐことができる除湿装置を提供することができる。
【００４１】
また、水位表示部の目視を逃した場合においても、聴覚で水位の情報を確認する事により、使用者の意図に反して除湿運転の途中で満水となり除湿装置が停止することを防ぐことができる除湿装置を提供することができる。
【００４２】
また、除湿装置が転倒した際に、確実に運転を停止することのできる除湿装置を提供することができる。
【００４３】
また、設計負担を減らし、且つ信頼性の高い除湿装置を提供することができる。
【００４４】
また、使用者が貯水タンクを少しだけ引き出した際に、水位検出用磁気センサの磁石の検出結果が変ることにより、水位の表示を誤って表示してしまうことを防ぐことのできる除湿装置を提供することができる。
【００４５】
また、水位検出用磁気センサの磁気感度に対するヒステリシス幅を超えた水面の揺れが発生した場合に、水位表示部を更新しないことによって、使用者へ正確な水位情報を伝えることのできる除湿装置を提供することができる。
【発明を実施するための最良の形態】
【００４６】
本発明の請求項１記載の発明は、空気中の水分を除湿する除湿装置本体と、この除湿装置の下部に出し入れ自在に設けられる貯水タンクと、貯水タンク内部に貯水された貯水量に合わせて動作する水位を検出するための水位検出用フロートと、水位検出用フロートに設けられた磁石を検出するための磁気センサと、除湿装置本体外郭に水位を表示するための水位表示部と、除湿装置本体を制御する制御部を備え、前記制御部は前記磁気センサからの検出信号を受け、水位表示部および除湿装置の運転を制御することを特徴としたものであり、使用者が除湿装置を操作した際に、制御部は磁気センサからの信号を受けて、使用者に貯水タンクに貯められた除湿水の排水を促すことにより、使用者の意図に反して、運転中に貯水タンクが満水となり、運転が停止することを防ぐことのできる、使い勝手が向上するという作用を有する。
【００４７】
また、請求項２記載の発明は、水位表示部を貯水タンクを除湿装置本体に設置した状態で、水位を確認するための貯水タンクに設けられた水位窓から、水位検出用フロートが見えるように配置して構成されたことを特徴としたものであり、使用者は貯水タンクの水位を水位検出用フロートの位置で確認でき、使用者にとって視認性が良い状態で除湿装置の貯水タンクの貯水量を確認することができるという作用を有する。
【００４８】
また、請求項３記載の発明は、除湿装置本体に照明部を設け、前記照明部により前記水位表示部である水位検出用フロートを照らすように配置したことを特徴としたものであり、除湿装置本体の設置条件により、例えば水位表示部が影となっている場合においても、容易に使用者が水位を確認することができるという作用を有する。
【００４９】
また、請求項４記載の発明は、水位表示部は表示素子であるＬＥＤで構成され、本体外郭に配置することにより、使用者に注意を促すことを特徴としたものであり、本体前面や本体天面操作部近傍などの外郭に配置することにより、確実に使用者に貯水量を確認することを促すことができるという作用を有する。
【００５０】
また、請求項５記載の発明は、水位表示部は一定時間点滅を繰り返すことを特徴としたものであり、使用者によって除湿装置を操作されたときから一定時間だけ点滅による注意を促すことにより、いつまでも点滅していることにより、使用者が何の意味で点滅をしているのかわからなくなることを防ぎ、確実に使用者の操作に対する注意であることを明確にすることができるという作用を有する。
【００５１】
また、請求項６記載の発明は、使用者が水位表示部の点灯または消灯を設定することを可能としたものであり、使用者が水位表示部の照明または水位表示部を好みに合わせて、点灯または消灯することができ、省エネ性が向上するという作用を有する。
【００５２】
また、請求項７記載の発明は、定められた水量に達しているときに、使用者が衣類乾燥運転を設定した場合に、水位表示部を用いて使用者に注意を促すことを特徴としたものであり、比較的長時間運転が必要な衣類乾燥運転において、使用者が前回の運転で貯まった貯水タンクの水を排水することを忘れ、衣類乾燥運転の途中で満水となり除湿装置が停止することを防ぐという作用を有する。
【００５３】
また、請求項８記載の発明は、定められた水量に達しているときに、使用者がタイマー運転を設定した場合に、水位表示部を用いて使用者に注意を促すことを特徴としたものであり、使用者がタイマーを設定して設定したタイマーの時間だけ除湿装置を使用する場合に、前回の運転で貯まった貯水タンクの水を排水することを忘れ、除湿運転の途中で満水となり除湿装置が停止することを防ぐという作用を有する。
【００５４】
また、請求項９記載の発明は、制御部が、定められた水量に達しているときに、水位表示部を用いて使用者に注意を促すことに加えて、音で使用者に注意を促すことを特徴としたものであり、水位表示部の目視を逃した場合においても、聴覚で水位の情報を確認する事により、使用者の意図に反して除湿運転の途中で満水となり除湿装置が停止することを防ぐという作用を有する。
【００５５】
また、請求項１０記載の発明は、制御部が、運転モードと温度および湿度に応じた除湿能力から算出される除湿量を算出し、現在の貯水量を水位を検出する磁気センサからの信号で判断して、残り貯水可能な水分量を算出し、使用者が選択した運転モードまたは運転モードおよびタイマー時間で運転可能な時間を導き出し、時間内に貯水タンクが満水になると判断した場合に、使用者に注意を促すことを特徴としたものであり、精度良く使用者の意図に反して運転の途中で、貯水タンクが満水となることを防ぐことができるという作用を有する。
【００５６】
また、請求項１１記載の発明は、貯水タンク内部に貯水された貯水量に合わせて動作する水位検出用フロートと、満水および除湿装置の転倒を検出するためのフロートを別の構成で備えたことを特徴としたものであり、除湿装置が転倒した際に、満水および除湿装置の転倒を検出するためのフロートが動作することによって、確実に運転を停止することのできる除湿装置を提供することができる。
【００５７】
また、請求項１２記載の発明は、水位が一定量以上の場合において、水位が下位の水位検出用フロートを検出するための磁気センサが磁石の検出を継続した状態で、上位の満水および転倒検出用フロートが水位に併せて動作できるように、下位のフロートに対してストッパーを貯水タンクに設けたことを特徴としたものであり、設計段階で磁気センサや磁石、上位および下位のフロートの取り付けの遊びなどのバラツキの検証の工数を削減できることにより設計負担を減らし、且つ除湿装置の信頼性を高めることができるという作用を有する。
【００５８】
また、請求項１３記載の発明は、貯水タンクを除湿装置本体から引き出した際に、水位検出用磁気センサの検出よりも先に満水および転倒検出用磁気センサが磁石の有無を検出するように配したことを特徴としたものであり、使用者が貯水タンクを少しだけ引き出した際に、水位検出用磁気センサと水位検出用フロートである下位のフロートの位置関係が変化してしまうことにより、磁石の検出結果が変わり、水位の表示を誤って表示してしまうことを防ぐという作用を有する。
【００５９】
また、請求項１４記載の発明は、上位のフロートが磁石を検出しなくなるまで、下位の水位検出用フロートの検出結果を更新しないことを特徴としたものであり、水位検出用磁気センサの磁気感度に対するヒステリシス幅を超えた水面の揺れが発生した場合に、水位表示部を更新しないことによって、使用者へ正確な水位情報を伝えることができるという作用を有する。
【００６０】
以下、本発明の実施の形態について図面を参照しながら説明する。
【００６１】
（実施の形態１）
図１に除湿装置本体、図２に貯水タンク周辺詳細構成図、図３に制御構成図、図４に操作部および表示部詳細図、表１に水位検出処理図を示す。
【００６２】
【表１】
2007237068.tif 000003
【００６３】
図１に示すように、除湿装置本体１下部には、貯水タンク２が配置され、除湿装置本体１からの結露水を貯水する。貯水タンク２には貯水タンク内部の結露水の貯水量を確認するための水位表示部として水位窓３が設けられている。また図２、３において、貯水タンク２には除湿装置本体１から生成する結露水が貯まる。貯水タンク２内部には、水位を検出するためのフロート６が水位表示部としての水位窓３から見えるように取り付けられており、除湿装置本体１には、水位表示部としての水位窓３を通して見えるフロート６の視認性を良くするための照明部７にはＬＥＤ８が設けられている。フロート６には磁石９ａおよび磁石９ｂ、除湿装置本体１には３分の１の水位を検出する、つまり磁石９ａを検出するための磁気センサ１０ａが配されている。また同様に、３分の２の水位を検出する、つまり磁石９ｂを検出するための磁気センサ１０ｂ、満水の水位を検出する、つまり磁石９ｂを検出するための磁気センサ１０ｃが設けられている。また、除湿装置本体１に設けられた制御部１１には磁気センサ１０ａおよび１０ｂ、１０ｃ、操作部４からの信号を受け、除湿装置本体１の運転の制御や照明部７であるＬＥＤ８を制御するためのマイクロコンピュータ１２が配されている。除湿装置本体１には、除湿装置本体１へ室内の空気を導くための処理ファン部１３および除湿素子を再生するためのヒーター部１４、除湿装置本体１の内部で除湿素子を再生するための風路を通風させるための再生ファン部１５が搭載されており、マイクロコンピュータ１２によって制御されている。また図４に示すように、天面の操作部４には、除湿装置の運転あるいは停止を行うための、運転切／入スイッチ４ａ、運転モードを切替えるための除湿切替スイッチ４ｂ、衣類乾燥運転を設定するための衣類乾燥スイッチ４ｃ、設定された時間が経過したときに停止するようにタイマーを設定するためのタイマースイッチ４ｄ、照明部７に設けられているＬＥＤ８の点灯または消灯を設定するための照明切／入スイッチ４ｅが設けられている。また、表示部には、使用者が前記操作部４で設定した設定を表示するためのＬＥＤが設けられている。また除湿装置本体１には、使用者に除湿装置の運転設定時や注意を促す際に発音する発音部１６が設けられている。運転モードとしては、除湿運転の強、弱運転、衣類乾燥運転がある。
【００６４】
上記構成において、貯水タンク２が空のときに結露水が除湿装置本体１から生成され水位が上昇すると、まずフロート６の磁石９ｂが取り付けられた浮きが作用し、磁石９ａ側は下方に、磁石９ｂ側は上方に移動する。水位が３分の１に達したときに、磁気センサ１０ａは磁石９ａを検出し、マイクロコンピュータ１２が磁気センサ１０ａの信号を受け、水位が３分の１に達したと判断する。次に水位が更に上昇し３分の２に達したときに、磁気センサ１０ｂは磁石９ｂを検出し、マイクロコンピュータ１２が磁気センサ１０ｂの信号を受け、水位が３分の２に達したと判断する。次に水位が更に上昇し、貯水タンク２の満水に達したときに、磁気センサ１０ｃは磁石９ｂを検出し、マイクロコンピュータ１２が磁気センサ１０ｃの信号を受け、満水に達したと判断し、除湿装置の運転を停止し、表示部５を用いて使用者に満水であることを伝える。またマイクロコンピュータ１２は、除湿装置の運転中は、照明部７であるＬＥＤ８を駆動し常時点灯させることにより、使用者が貯水タンク２に設けられた水位窓３を通して、フロート６すなわち除湿装置の結露水の水位を確認し易くなっている。なお、使用者が操作部４に設けられている照明切／入スイッチ４ｅを用いて、ＬＥＤ８を好みに合わせて点灯または消灯できるようになっている。ここで例えば水位が３分の１に達しているときに、使用者が操作部４を用いて、衣類が乾くと自動的に停止する衣類乾燥自動運転である衣類乾燥スイッチ４ｃを押した場合、マイクロコンピュータ１２のプログラムには、予め実験結果に基づいて表１に示すようなマトリクスを用意しており、マイクロコンピュータ１２は、このマトリクスに従って使用者に排水の注意を促すかどうかを判断する。マイクロコンピュータ１２が、使用者に排水の注意を促すと判断した場合は、ＬＥＤ８を一定期間点滅させ、発音部１６を駆動することにより、使用者に排水の注意を促す。なお発音部１６から発音される音は、ブザー音、音声、メロディ音のいずれであっても同様な効果を発する。
【００６５】
なお、一定期間点滅は注意喚起が認識できる程度であればよく、例えば、一定期間として５〜６秒程度点滅できればよい。
【００６６】
同様に水位が３分の２に達しているときに、使用者が４時間タイマーを設定した場合においても、前記例と同様な処理を行う。表１に示すマトリクスは一例であり、除湿装置本体１の除湿能力の大小に合わせて、変化するものである。
【００６７】
（実施の形態２）
本発明の実施の形態２について述べる。実施の形１と同一部分は同一番号を付し、詳細な説明は省略する。図５に除湿装置本体、図６に水位表示部拡大図、図７に貯水タンク周辺詳細構成図、図８に制御構成図、図９に操作部および表示部詳細、図１０にフロート動作簡略図、図１１にフローチャート図、表２に磁気センサの検出結果と水位の相関表、表３に１時間当たりの除湿量のパラメータを示す。
【００６８】
図５、図６において、実施の形態１と重複する箇所は省略する。除湿装置本体１の前面には水位を表示するための水位表示部１７が設けられ、水位表示部１７は、貯水タンク２の水量が、３分の１の水位に達したときに点灯する３分の１の水位表示ＬＥＤ１７ａ、および３分の２の水位に達したときに点灯する３分の２の水位表示ＬＥＤ１７ｂ、満水に達したときに点灯する満水表示ＬＥＤが設けられている。また図７において、貯水タンク２には除湿装置本体１から生成する結露水が貯まる。貯水タンク２内部には、水位を検出するための水位検出用フロート６ａが取り付けられており、水位検出用フロート６ａには磁石９ａおよび磁石９ｂ、除湿装置本体１には３分の１の水位を検出する、つまり磁石９ａを検出するための磁気センサ１０ａが配されている。また同様に、３分の２の水位を検出する、つまり磁石９ｂを検出するための磁気センサ１０ｂが配されている。また貯水タンク２内部には、満水および除湿装置本体１の転倒を検出するための満水／転倒検出用フロート６ｂが取り付けられており、満水／転倒検出用フロート６ｂには磁石９ｃ、除湿装置本体１には、満水および除湿装置本体１の転倒を検出するための磁気センサ１０ｄが配されている。また、貯水タンク２内部には、水位検出用フロート６ａの必要以上の上昇を止めるためのストッパー１８が配置されている。また、除湿装置本体１に設けられた制御部１１には磁気センサ１０ａおよび１０ｂ、１０ｃ、操作部４からの信号を受け、除湿装置本体１の運転の制御や水位表示部１７を制御するためのマイクロコンピュータ１２が配されている。除湿装置本体１には、除湿装置本体１へ室内の空気を導くための処理ファン部１３および除湿素子を再生するためのヒーター部１４、除湿装置本体１の内部で除湿素子を再生するための風路を通風させるための再生ファン部１５が搭載されており、マイクロコンピュータ１２によって制御されている。また図４に示すように、天面の操作部４には、除湿装置の運転あるいは停止を行うための、運転切／入スイッチ４ａ、運転モードを切替えるための除湿切替スイッチ４ｂ、衣類乾燥運転を設定するための衣類乾燥スイッチ４ｃ、設定された時間が経過したときに停止するようにタイマーを設定するためのタイマースイッチ４ｄ、除湿装置本体１の前面部に設けられた水位表示部１７の点灯または消灯を設定するための水位表示切／入スイッチ４ｆが設けられている。また、表示部には、使用者が前記操作部４で設定した設定を表示するためのＬＥＤが設けられている。また除湿装置本体１には、使用者に除湿装置の運転設定時や注意を促す際に発音する発音部１６、除湿装置本体１の設置された空間の湿度を検出するための湿度センサ１９および温度を検出するための温度センサが設けられている。運転モードとしては、運転モードとしては、除湿運転の強、弱運転、衣類乾燥運転がある。
【００６９】
上記構成において、まず図１０および表２を用いて、水位検出用フロート６ａ、満水／転倒検出用フロート６ｂの動作概要および水位の相関、磁気センサの検出結果について説明する。
【００７０】
【表２】
2007237068.tif 000004
【００７１】
除湿装置本体１に貯水タンク２が取り付けられていないときは、各磁気センサは表２に示す貯水タンク２未搭載の列の検出結果となり、マイクロコンピュータ１２は貯水タンク２が未搭載であると判断する。次に、除湿装置本体１に結露水を全て排水済みの貯水タンク２が設置された場合、図１０（ａ）に示すように、水位検出用フロート６ａに設置された磁石９ａおよび９ｂを磁気センサ１０ａ、１０ｂは検出せず、満水／転倒検出用フロート６ｂに設置された磁石９ｃを磁気センサ１０ｄが検出することにより、表２に示す水位が３分の１以下の列の検出結果となり、マイクロコンピュータ１２は貯水タンク２の水位が３分の１以下であると判断する。次に除湿装置本体１の結露水が貯水タンク２に貯えられ、水位が３分の１に達したとき、図１０（ｂ）に示すように、水位検出用フロート６ａに設置された磁石９ａを磁気センサ１０ａが検出し、磁石９ｂを磁気センサ１０ｂは検出せず、満水／転倒検出用フロート６ｂに設置された磁石９ｃを磁気センサ１０ｄが検出することにより、表２に示す水位が３分の１〜３分の２未満の列の検出結果となり、マイクロコンピュータ１２は貯水タンクの水位が３分の１〜３分の２未満であると判断する。次に、更に除湿装置本体１の結露水が貯水タンクに貯えられ、水位が３分の２に達したとき、図１０（ｃ）に示すように、水位検出用フロート６ａに設置された磁石９ｂを磁気センサ１０ｂが検出し、満水／転倒検出用フロート６ｂに設置された磁石９ｃを磁気センサ１０ｄが検出することにより、表２に示す水位が３分の２〜満水未満の列の検出結果となり、マイクロコンピュータ１２は貯水タンク２の水位が３分の２〜満水未満であると判断する。なおこのとき磁石９ａを磁気センサ１０ａが検出するか否かはどちらでも良く、検出結果や水位の判断に影響しない。次に、更に除湿装置本体１の結露水が貯水タンク２に貯えられ、水位が満水に達したとき、図１０（ｄ）に示すように、水位検出用フロート６ａに設置された磁石９ｂを磁気センサ１０ｂが検出し、満水／転倒検出用フロート６ｂに設置された磁石９ｃを磁気センサ１０ｄが検出することにより、表２に示す水位が３分の２〜満水未満の列の検出結果となり、マイクロコンピュータ１２は貯水タンクの水位が満水であると判断する。なお、このときも磁石９ａを磁気センサ１０ａが検出するか否かはどちらでも良く、検出結果や水位の判断に影響しない。また、貯水タンク２の内部に設けられたストッパー１８によって、磁気センサ１０ｂは３分の２の水位以上に達したときに水位検出用フロート６ａに配された磁石９ｂを検出し続ける事ができる。ここでストッパー１８が無い場合は、満水／転倒検出用フロート６ｂに配された磁石９ｂは上昇を続け、磁石９ｂおよび９ｃ、磁気センサ１０ｂおよび磁気センサ１０ｄのバラツキにより、満水／転倒検出用フロート６ｂに配された磁石９ｃを磁気センサ１０ｄが未検出となる前に、水位検出用フロート６ａに配された磁石９ｂを磁気センサ１０ｄが未検出となる可能性が大きく、この場合は表２に示す貯水タンク２の水量が３分の１以下の検出結果と同一となるため、マイクロコンピュータ１２は水位を誤認識してしまう恐れがあるため、上記検出結果になることを防ぐ必要がある。磁石９ｂおよび９ｃ、磁気センサ１０ｂおよび磁気センサ１０ｄのバラツキを考慮して、防ぐには検証が困難であるが、ストッパー１８で確実に水位検出用フロート６ａの動作を停止させることが、設計段階での工数が削減でき、且つ信頼性を高めることができる。
【００７２】
また、除湿装置本体１の設置条件が使用者によって変えられたとき、例えば水位が３分の２になった直後に、使用者によって毛足の長い絨毯の上に設置変更されたとき、除湿装置本体１が傾いて設置されることが考えられ、その傾きの影響により、磁気センサ１０ｂと磁石９ｂの位置関係が変り、設置変更後には水位が３分の２以下と判断され、水位表示も３分の１と表示される可能性がある。また同様に、除湿装置本体１への使用者の不意な接触、除湿装置本体１の結露水の貯水タンク２への滴下に伴う、水面のゆれなどにより、水位表示が変動し、使用者に誤解を与える可能性があるため、上位のフロートを検出しなくなるまで、すなわち使用者によって貯水タンク２の排水が行われるまでは、下位のフロートの検出結果を更新しないようになっている。
【００７３】
また、マイクロコンピュータ１２は、除湿装置の運転中は、水位表示部１７である水位表示ＬＥＤを用いて、水位の状況を使用者に伝えることができる。本体前面にＬＥＤで表示されているため、遠く離れた場所においても水位の状況を把握し易くなっている。なお、使用者が操作部４に設けられている水位表示切／入スイッチ４ｆを用いて、水位表示部１７を好みに合わせて点灯または消灯できるようになっており、就寝時などには消灯して使用することもできる。
【００７４】
また、除湿装置本体１が転倒した場合には、水位検出用フロート６ａは倒れる方向によって、検出結果に差異が発生し、また通常の運転状態との区別をマイクロコンピュータ１２ができないが、満水および除湿装置本体１の転倒を検出するための満水／転倒検出用フロート６ｂは大きく傾き、磁気センサ１０ｄが満水／転倒検出用フロート６ｂに配された磁石９ｃを検出しなくなることにより、満水または貯水タンク未搭載の状態となり、機器の運転を安全に停止することができる。
【００７５】
また、除湿装置本体１から貯水タンクを少しだけ取り出した際、あるいは、使用者の不注意で貯水タンク２が除湿装置から出てしまっている場合、満水／転倒検出用フロート６ｂに配された磁石９ｃを磁気センサ１０ｄが検出している場合、水位検出用フロート６ａに配された磁石９ａおよび９ｂと磁気センサ１０ａおよび１０ｂの位置関係が変ってしまうことにより、水位表示が実際の水位と異なる表示をし、使用者に誤解を与えてしまうことになるが、磁気センサ１０ｄのセンサの中心位置と、磁石９ｃの中心位置とを一致させずに、貯水タンク２の引き出し方向にずらすことにより、貯水タンク２が除湿装置本体１から出たときに、速やかに磁気センサ１０ｄが磁石９ｃを検出しなくなるように配置されている。
【００７６】
また、使用者がタンクの排水を行わずに運転を選択しようとした時、除湿装置本体１に搭載されているマイクロコンピュータ１２は、残り運転可能な時間を算出し、その結果に従って使用者に排水の注意を促す。この動作を図１１に示すフローチャートに従って説明する。なお既に満水となっている場合は、使用者による操作および運転開始は行わないため、本図においては、運転可能な状態すなわち満水でないことを前提に説明を行う。
【００７７】
使用者により除湿運転のタイマー運転か、衣類が乾いた場合に自動で停止する衣類乾燥自動運転に設定する操作が行われた際、本フローチャートの処理を開始する（ステップ１）。
【００７８】
次にマイクロコンピュータ１２は貯水タンク２の水位を磁気センサ１０ａおよび１０ｂ、１０ｃからの信号を元に判断する（ステップ２）。
【００７９】
確定した水位に合わせて、残り貯水タンク２に貯水可能な水量Ａを決定する（ステップ３）。
【００８０】
マイクロコンピュータ１２は湿度センサ１９、および温度センサ２０のサンプリングを行い、除湿装置本体１が設置されている空間の湿度および温度を検出する（ステップ４）。
【００８１】
ステップ４で検出した湿度および温度、設定された運転モードを元に、マイクロコンピュータ１２に予め搭載されている表３のデータに定められている１時間当たりの除湿量のパラメータＢを決定する（ステップ５）。
【００８２】
【表３】
2007237068.tif 000005
【００８３】
ステップ３で決定した貯水可能な水量をステップ５で決定したパラメータＢで除算し、貯水タンク２が満水になるまでの運転可能時間を算出する（ステップ６）。
【００８４】
設定された運転モードが除湿運転のタイマー運転か衣類乾燥自動運転なのかを判断する（ステップ７）。
【００８５】
除湿運転の場合は、設定されたタイマー時間をＤとし、Ｃ＞Ｄつまり設定されたタイマー時間Ｄの間除湿運転を行っても、満水にならないとき、マイクロコンピュータ１２は運転を開始する（ステップ８ａ〜１０）。
【００８６】
逆の場合はタイマー時間Ｄの途中に満水となるため、使用者のＤ時間除湿運転させたいという意図に反して、除湿運転の途中で除湿装置本体１の運転が停止してしまうため、マイクロコンピュータ１２は、水位表示装置を駆動、点滅させ、また発音部１６を駆動することにより、使用者に貯水タンク２の排水を促す（ステップ８ａ〜１０）。
【００８７】
また、衣類乾燥自動運転の場合、予め実験で定められている標準の衣類の乾燥時間Ｅとした場合、Ｃ＞Ｅの場合は運転を開始する（ステップ８ｂ〜１０）。
【００８８】
逆の場合はタイマー時間Ｅの途中に満水となるため、使用者の衣類を乾かしたいという意図に反して、衣類乾燥運転の途中で除湿装置本体１の運転が停止してしまうため、マイクロコンピュータ１２は、水位表示装置を駆動、一定期間点滅させ、また発音部１６を駆動することにより、使用者に貯水タンク２の排水を促す（ステップ８ｂ〜１０）。
【００８９】
なお発音部１６から発音される音は、ブザー音、音声、メロディ音のいずれであっても同様な効果を発する。
【産業上の利用可能性】
【００９０】
水位検出機構を備えた除湿装置であり、空調機、乾燥機などの用途にも適用できる。
【図面の簡単な説明】
【００９１】
【図１】本発明の実施の形態１の除湿装置本体の外観図
【図２】同貯水タンク周辺詳細図
【図３】同制御構成図
【図４】同操作部および表示部詳細図
【図５】本発明の実施の形態２の除湿装置本体外観図
【図６】同水位表示部拡大図
【図７】同貯水タンク周辺詳細構成図
【図８】同制御構成図
【図９】同操作部および表示部詳細図
【図１０】同フロート動作簡略図
【図１１】同フローチャート
【図１２】従来技術の除湿装置構成図
【符号の説明】
【００９２】
１      除湿装置本体
２      貯水タンク
３      水位窓
４      操作部
４ａ    運転切／入スイッチ
４ｂ    除湿切替スイッチ
４ｃ    衣類乾燥スイッチ
４ｄ    タイマースイッチ
４ｅ    照明切／入スイッチ
４ｆ    水位表示切／入スイッチ
５      表示部
６      フロート
６ａ    水位検出用フロート
６ｂ    満水／転倒検出用フロート
７      照明部
８      ＬＥＤ
９ａ    磁石
９ｂ    磁石
９ｃ    磁石
１０ａ  磁気センサ
１０ｂ  磁気センサ
１０ｃ  磁気センサ
１０ｄ  磁気センサ
１１    制御部
１２    マイクロコンピュータ
１３    処理ファン部
１４    ヒーター部
１５    再生ファン部
１６    発音部
１７    水位表示部
１７ａ  ３分の１の水位表示ＬＥＤ
１７ｂ  ３分の２の水位表示ＬＥＤ
１７ｃ  満水表示ＬＥＤ
１８    ストッパー
１９    湿度センサ
２０    温度センサ
【図１】
2007237068.tif 000006
【図２】
2007237068.tif 000007
【図３】
2007237068.tif 000008
【図４】
2007237068.tif 000009
【図５】
2007237068.tif 000010
【図６】
2007237068.tif 000011
【図７】
2007237068.tif 000012
【図８】
2007237068.tif 000013
【図９】
2007237068.tif 000014
【図１０】
2007237068.tif 000015
【図１１】
2007237068.tif 000016
【図１２】
2007237068.tif 000017